(57)【要約】【課題】収納台の内側で薄型ディスプレイ装置を吊下げ方向に支持させて、薄型ディスプレイ装置を利用者が見易い位置及び向きに調整でき、薄型ディスプレイ装置を使用しないときにはこれを上方に回動させて収納位置までスライド移動できる薄型ディスプレイ装置の支持装置と、この支持装置を備えた収納台を提供する。【解決手段】収納台の天板２ａ又は棚板の下面に装着されるレール４に、パソコン又はDVD装置の薄型ディスプレイ或いは薄型テレビ等の薄型ディスプレイ装置を吊下げ姿勢で支持するアーム６を介して前後方向に走行自在に支持され、該アーム６には、薄型ディスプレイ装置の横方向に向ける調整を可能にする横回動部と、薄型ディスプレイ又は薄型テレビを上下回動方向に傾けて所望の傾きを維持させる上下回動部とが設けられ、アーム６は、薄型ディスプレイ装置と共に上方の水平姿勢まで回動させて収納位置までスライド移動させることができる。【選択図】図２
2006043300.tif 000002
【特許請求の範囲】
【請求項１】
収納台の天板又は棚板の下面に装着されるレールに、パソコン又はDVD装置の薄型ディスプレイ或いは薄型テレビ等の薄型ディスプレイ装置を垂直に向けた吊下げ姿勢で支持するアームの上部が走行体を介して前後方向に走行自在に支持され、
該アームには、薄型ディスプレイ装置の横方向に向ける調整を可能にする横回動部と、薄型ディスプレイ又は薄型テレビを上下回動方向に傾けて所望の傾きを維持させる上下回動部とが設けられていることを特徴とする薄型ディスプレイ装置の支持装置。
【請求項２】
前記収納台又は前記レールには、前記アームを薄型ディスプレイ装置と共に上方の水平姿勢まで回動させて収納位置までスライド移動させた状態を維持させる保持部材が設けられている請求項１に記載の薄型ディスプレイ装置の支持装置。
【請求項３】
前記アームには、アームを薄型ディスプレイ装置と共に上方に回動させて水平姿勢を維持させる係止手段が設けられている請求項１又は請求項２に記載の薄型ディスプレイ装置の支持装置。
【請求項４】
前記アームは、上下方向の伸縮又は上下スライドの調整が可能に構成されている請求項１乃至請求項３のいずれかに記載の薄型ディスプレイ装置の支持装置。
【請求項５】
請求項１乃至請求項４に記載の薄型ディスプレイ装置の支持装置が取り付けられた天板と、天板の支持部材と、左右の側板とを有し、左右の側板の少なくとも一方が後方に大きく開放されていることを特徴とする収納台。
【発明の詳細な説明】
【技術分野】
【０００１】
本発明は、パソコン又はＤＶＤの薄型ディスプレイ又は薄型テレビなどの薄型ディスプレイ装置を収納台に垂直に向けた吊下げ姿勢で支持させると共に、前後方向の位置及び向きの調整ができ、更に好ましくは薄型ディスプレイ装置を使用しないときにはこれを上方に寝かせた収納姿勢にできる薄型ディスプレイ装置の支持装置と、この支持装置が取り付けられた収納台に関する。
【背景技術】
【０００２】
最近のパソコン及びＤＶＤのディスプレイやテレビは、従来のブラウン管方式のものから軽量で薄型の液晶ディスプレイやプラズマディスプレイを搭載したものに変わりつつある、このため、これらの設置方法及び設置場所がブラウン管方式のものと比較して多様になり、液晶ディスプレイ専用のアームなどを利用して壁面や棚板などに取り付けることも可能である。
【０００３】
従来、この種の支持構造として、実登３０７９５５９号公報には、台所の流し台の上部に設置された吊戸棚の下部にモニター固定部が取り付けられて、このモニター固定部の下部に液晶テレビモニターが装着され、液晶テレビモニターは左右回動が自在であり、且つ、使用しない時には液晶テレビモニターをモニター固定部の下部に形成されている開放面内に収めることができ、使用時には前下方に引き出す方向に回動させて画面を見易い向きにできる台所用吊戸棚のＡＶシステムが示されている。
【特許文献１】実登３０７９５５９号公報
【発明の開示】
【発明が解決しようとする課題】
【０００４】
しかしながら、実登３０７９５５９号公報に記載の台所用吊戸棚のＡＶシステムに見られるようなモニターの装着構造は、モニターを見ないときにはこれを上方に回動させて水平な姿勢で収納することができるが、モニターを見易い位置まで前後方向に移動させることが出来ない構造になっており、また、吊戸棚に内側の手前側の位置からモニターを吊戸棚の奥方向の上方に向けてモニター装置を収納する構造であるため、収納操作がし難くかった。
【０００５】
本発明は、収納台の内側で薄型ディスプレイ装置を垂直に吊下げ方向に支持させて、薄型ディスプレイ装置を装着した収納台全体の姿勢を安定させ、薄型ディスプレイ装置の設置にビス止めやクランプを使用しないため、所望の場所に容易に移動でき、薄型ディスプレイ装置を利用者が見易い位置及び向きに調整でき、薄型ディスプレイ装置及びアームなどを収納台の内側に位置させて、これらが邪魔にならず、見栄えが良くなるようにし、更に好ましくは、薄型ディスプレイ装置を使用しないときにはこれを上方に回動させて収納位置までスライド移動できる薄型ディスプレイ装置の支持装置と、この支持装置を備えた収納台を提供することにより、従来技術が有する課題を解消する。
【課題を解決するための手段】
【０００６】
本発明の請求項１に記載の薄型ディスプレイ装置の支持装置は、収納台の天板又は棚板の下面に装着されるレールに、パソコン又はDVD装置の薄型ディスプレイ或いは薄型テレビ等の薄型ディスプレイ装置を垂直に向けた吊下げ姿勢で支持するアームの上部が走行体を介して前後方向に走行自在に支持され、該アームには、薄型ディスプレイ装置の横方向に向ける調整を可能にする横回動部と、薄型ディスプレイ又は薄型テレビを上下回動方向に傾けて所望の傾きを維持させる上下回動部とが設けられていることを特徴とする。
【０００７】
本発明の請求項１に記載の薄型ディスプレイ装置の支持装置は、パソコン又はDVD装置の薄型ディスプレイ或いは薄型テレビ等の薄型ディスプレイ装置を収納台に吊下げ姿勢で支持するためにあり、この吊下げ姿勢のまま薄型ディスプレイ装置のレールに沿った前後方向の移動が可能であり、また、見易い向きに調整することも可能である。本発明において用いられる収納台は、テーブルやラック、収納棚の上に置く小型のものがあげられるが、走行用のキャスタを装備した高さのあるものでも構わない。そして、好ましくは、薄型ディスプレイ装置を、人が見易い目の高さに位置させることが好ましい。
【０００８】
また、本発明では、請求項２において、更に、前記収納台又は前記レールには、前記アームを薄型ディスプレイ装置と共に上方の水平姿勢まで回動させて収納位置までスライド移動させた状態を維持させる保持部材が設けられている薄型ディスプレイ装置の支持装置を提案する。
【０００９】
このようにすると、薄型ディスプレイ装置を使用しないときには、収納台の内側の上方に折り畳んで収納することができ、とくに、この収納構造が薄型ディスプレイ装置を手苗側上方に持ち上げて、前方にスライドさせて収納位置に移動させることができる構造になっている。そして、収納姿勢を確実なものにするために、保持部材で保持する構造にした。
【００１０】
また、本発明の請求項３では、請求項１又は２に記載の薄型ディスプレイ装置の支持装置において、前記アームには、アームを薄型ディスプレイ装置と共に上方に回動させて水平姿勢を維持させる係止手段が設けられている薄型ディスプレイ装置の支持装置を提案する。
【００１１】
このように、薄型ディスプレイ装置を水平にした姿勢を維持させるのは、この姿勢で収納位置までスライドさせる操作を楽にするためにあり、収納位置にスライドさせる途中で薄型ディスプレイ装置が下方に回動するのを防ぐ。
【００１２】
また、本発明の請求項４では、請求項１ないし３のいずれかに記載の薄型ディスプレイ装置の支持装置において、前記アームは、上下方向の伸縮又は上下スライドの調整が可能に構成されている薄型ディスプレイ装置の支持装置である。
【００１３】
このようにすると、薄型ディスプレイ装置を更に見易い位置に調整することができ、また、薄型ディスプレイ装置の大きさに合わせた高さ調整が可能になる。上下方向の伸縮構想としては、例えば、伸縮自在な２重構造を持つパイプと、その長さの調整がハンドルの締め付けの調整で行える構造のものを挙げることができる。上下スライドの調整としては、例えば、後述する実施例に示す構造のものが挙げられる。
【００１４】
そして、本発明の請求項５では、請求項１ないし４に記載の薄型ディスプレイ装置の支持装置が取り付けられた天板と、天板の支持部材と、左右の側板とを有し、左右の側板の少なくとも一方が後方に大きく開放されていることを特徴とする収納台を提案する。
【００１５】
このように収納台の左右の側板のいずれか一方を大きく開放させた構造にすると、薄型ディスプレイ装置を左右いずれかの方向に回動させた状態にした姿勢で視聴することが可能になる。
【発明の効果】
【００１６】
本発明の請求項１に記載の薄型ディスプレイ装置の支持装置によると、パソコン又はDVD装置の薄型ディスプレイ或いは薄型テレビ等の薄型ディスプレイ装置を収納台の内側に支持させるようにした結果、収納台ごと所望の場所に移動させることができるようになる。しかも、収納台の内側に薄型ディスプレイ装置を支持させると、薄型ディスプレイの設置にビスやクランプなどの取付材も不要であり、設置した周辺の煩雑にならない。しかも、収納台内の前端近くまで薄型ディスプレイ装置をスライド移動させることができるので、薄型ディスプレイ装置が見易くなる。更には、薄型ディスプレイ装置を見易い角度に調製することもできる。
【００１７】
本発明の請求項２に記載の薄型表示装置の支持装置によると、前記収納台又は前記レールには、前記アームを薄型ディスプレイ装置と共に上方の水平姿勢まで回動させて収納位置までスライド移動させた状態を維持させる保持部材を設けた結果、薄型ディスプレイ装置を使用しないときには、収納の際の操作がし易い方向である収納台の内側の上方に折り畳んだ後、収納位置まで前方でスライドさせて収納させることができるようになった。
そして、収納位置で、保持部材を保持する構造にした結果、収納姿勢を確実なものにすることができるようになった。
【００１８】
本発明の請求項３に記載の薄型表示装置の支持装置によると、前記アームに、アームを薄型ディスプレイ装置と共に上方に回動させて水平姿勢を維持させる係止手段を設けた結果、薄型ディスプレイ装置を水平にして収納意図までスライドさせる操作の際に、薄型ディスプレイ装置が自重によって下方に回動するのを防ぐ操作をしなくても、薄型ディスプレイ装置を水平姿勢のまま収納位置までスライドさせることができるようになった。
【００１９】
本発明の請求項４に記載の薄型表示装置の支持装置によると、、前記アームを、上下方向の伸縮又は上下スライドの調整が可能に構成した結果、薄型ディスプレイ装置を更に見易い位置に調整することができ、また、薄型ディスプレイ装置の大きさに合わせた高さ調整ができるようになった。
【００２０】
本発明の請求項５に記載の収納台によると、左右の側板の少なくとも一方を後方に大きく開放された結果、薄型ディスプレイ装置を収納台の内側に吊るした姿勢で左右いずれかの方向に回動させるだけで、収納台の側方から薄型ディスプレイ位置を見ることができるようになった。このため、収納台の向きを変えなくても幅広い方向に薄型ディスプレイ装置を向けることができるようになった。
【発明を実施するための最良の形態】
【００２１】
本発明を実施するための最良の形態は、次の実施例のとおりである。
【実施例１】
【００２２】
図１乃至図１３は、本発明の一実施例による薄型ディスプレイ装置の支持装置を示す。図１乃至図４に示す液晶テレビ付き収納台１は、収納台２の内側に、本発明の１実施例による薄型モニター装置の支持装置３を用いて液晶テレビＴを吊下げ方向に支持させたもので構成されている。取付台２は、天板２と底板２ｂと左右の側板２ｃ，２ｃと背板２ｄとが組付けられたもので構成され、左右の側板２ｃ，２ｃは上部を残す下部が後方に大きく開放した上下逆さL形状を有するものが用いられて、液晶テレビＴを左右いずれの側方に向けて見ることもできるようにしてある。そして、液晶テレビＴを見ないときには、図５及び図６に示すように、収納台２の内側の上方に回動させて、前方にスライドさせた姿勢で、保持部材１１で保持させることができるようになっている。
【００２３】
図１乃至図４に示す本発明の１実施例による薄型モニター装置の支持装置３は、取付台２における天板２ａの下面中央に前後方向に装着されているレール４と、該レール４に走行自在に支持されているアーム６と、取付台２の天板２ａの下面後部に装着されている保持部材１１とによって構成されている。
【００２４】
レール４は、アーム６の下部に装着した液晶テレビＴを前後方向にスライド移動可能にさせるためにあり、図７（ｂ）によると、レール４は、平坦な金属板の左右両端近傍部が斜め下方に折曲され、更にその両端部４ａ，４ｂが水平方向に折曲された断面形状を有し、この断面形状が天板２ａの下面の前後両端部に至る前後長さを有し、取付台２における天板２ａにビス１４を用いて装着されている。
【００２５】
図１乃至図４及び図７（ｃ）に示すように、レール４には走行体５が支持されており、アーム６は、走行体５の下面に水平回転自在に装着されている上部支持板７と、上部支持板に上下回転自在に装着されている下部支持板８と、下部支持板８の下面に装着されているアーム本体９とが組みつけられたフレーム構造を有し、アーム本体９に装着されている取付板１０の前面に液晶テレビＴの背面部Ｔｂが装着されている。そして、走行体５がレール４の前端から抜け外れないようにするために、天板２ａの下面におけるレール４の前端に接する面には、図７（ａ）及び図８に示す抜け止め材１４がビス止めされているが、この抜け止め材１４の装着はレール４に走行部５を支持させた後に行われる。
【００２６】
図７（ｃ）及び図９に示すように、走行部５は、レール４の下方から左右の両端部４ａ，４ｂを囲む形状に折曲された前後幅が短い金属板で形成された枠材１２の左右両端部に、レール４の左右の両端部４ａ，４ｂを上下から挟む形状に形成された樹脂製のホルダ１３ａ，１３ｂが保持されたもので構成されており、走行部５を手で前後方向にスライドさせる力を加えると、走行部５はレール４の左右の両端部４ａ，４ｂに沿って前後方向にスライド走行する。尚、このスライド走行を円滑にさせるために、レール４の左右の両端部４ａ，４ｂに形成されているホルダ１３ａ，１３ｂはレール４の両端に嵌まる溝が形成されており、この溝の上下内側面には、図９に示すように、スライドによる摩擦を小さくする小さな球状突起１３ｐが複数個形成された面で形成されており、ホルダ１３ａの抜け外れを防ぐために、ホルダ１３ａの下端部に形成されている突起１３ｅを枠材１２に形成されている開孔１２ｂ内に突入させてある。ホルダ１３ａは成型を容易にするために、上下分割構造を有し、上下分割部分の位置ずれを、突起１３ｆと凹部１３ｇとのかみ合いによって無くすようにしてある。
【００２７】
図１０及び図１１に示すように、上部支持板７は、上板面７ａの左右縁をそれぞれ下方に折曲させて左右の側板７ｂ，７ｃが形成された前後幅の短い金属板で形成されており、上板面７ｃの中央に形成されているボルト孔７ｄ内に、押え板１５の中央下面から下方に突出しているボルト１５ａが枠材１２の上方から挿通され、上部支持板７の上板面７ａの上面に枠材１２を挟み、上板面７ａの下面に当て板１８を挟んだ状態で、ボルト１５ａにナット１６，１７を螺装させることにより、上部支持板７が走行部５に装着されている。尚、２個のナット１６，１７のうち、上部側のナット１６が強く締結されていないため、上部支持板７を手で水平方向に回転する力を与えると、上部支持板７はボルト１５ａの軸心を支点にして回転する。尚、上部支持板７の回転を円滑にするために、枠材１２の下面と上部支持板７の上面のいずれか一方の面には、テフロン（登録商標）樹脂、ポリアセタール樹脂のいずれか又はその他の滑り特性に優れた樹脂が貼り付けられ、或いはコーティングされている。アーム６の横回動部はこのような構造を有し、走行部５に水平回転自在に支持されている。
【００２８】
そして、左右の側板７ｂ，７ｃの内側において、その上部の若干後方寄りの個所には、左右の側板７ｂ，７ｃの外側面から対向方向に螺装させたビス２０，２２によって、横軸２２が装着されており、この横軸２２の左右両端近傍個所には、金属長板で形成された係止部材２３，２４の上端近傍部が回転自在に枢支されている。これら係止部材２３，２４は左右対称形状を有し、係止部材２３の各上端部は、図１２に示すように、斜辺２３ａにて形成されており、図示していないが右側の係止部材２４も同様に斜辺で形成されている。そして、図７（ｃ）及び図１２に示すように、係止部材２３の各下端部の上縁には、対向方向に向けた折曲面２３ｂ，２４ｂが形成されている。そして、左右の係止部材２３，２４と下部支持板８の左右の側板７ａ７ｂとの間に隙間には、横軸２２に支持されたばね２５，２６が設けられて、各ばね２５，２６によって係止部材２３，２４が下方に付勢されてある。
【００２９】
図１２に示す係止部材２３の上端部に形成されている斜辺２３ａは、ばね２５によって係止部材２３の下部が下方に付勢されている状態では、下部支持板８の上板面８ｃの下面に接しており、このため、係止部材２３は斜め前下方に向けられた姿勢を維持し、係止部材２３の下部を上方に押し上げる外圧が加わると、係止部材２３はばね２５による付勢力に抗して上方に回動する。
【００３０】
係止部材２３の下縁には、幅を持たせた湾曲部２３ｂが形成され、この湾曲部２３ｂの下端縁はフック部２３ｃが形成されている。そして、係止部材２３下部のフック部２３ｃの上方近傍面に装着されているピン１４によって、カム状爪２７の基部が係止部材２３の内側面に回転自在に枢着されており、更に、係止部材２３の内側面のフック部２３ｃに近接する前方個所には、カム状爪２７の自重による下方に向けた回動を途中で停止させるピン２６が突出している。右側の係止部材２４も同様の形状を有している。
【００３１】
図７の（ｃ）、図１０乃至図１１に示すように、下部支持板８は、上部支持板７と略上下対称形状を有する金属板で形成され、下部支持板８の左右の側板８ａ，８ｂは、上部支持板７の左右の側板７ｂ，７ｃの内側面に接する間隔を有する。そして、下部支持板８の左右の側板８ａ，８ｂの下部面と上部支持板７の左右の側板７ｂ，７ｃの上部面とが重ね合わされた状態で、左右方向にボルト３０が挿入されて、下部支持板８がこのボルト３０の軸心を中心にして上下に回動自在に支持されている。このボルト３０の頭部３０ａと、ボルト３０の軸部３０ｂの先端部に螺装されるナット３１は、肉厚樹脂製の円板体３２，３３に中央に形成されている六角形状の凹部３２ａ，３３ａ内に保持されており、一方の円板体３２の外側面に形成されているツマミハンドル３２ｂを指先で摘んで回転させることにより、ボルト３０とナット３１の締結力の調整ができるようにしてある。また、下部支持板８の左右側板８ａ，８ｂの間には、ボルト３０の挿通孔３４ｂが形成された２重筒構造を有する円筒体３４が、ボルト３０の軸部３０ｂに支持されて設けられており、この円筒体３４によって、ボルト３０とナット３１を強く締結した際に生じる左右の側板８ａ，８ｂの内側に向けた変形を防いでいる。アーム６の屈曲部は、上部支持板７と下部支持板８によるこのような上下回動自在な装着構造を有している。そして図７（ｃ）及び図１１に示すように、左右の側板８ａ，８ｂの間における下端近傍の前部個所には横軸４４が、両端部がビス止めされて懸架されている。
【００３２】
図１乃至図４及び図７（ｃ）、図１０に示すように、下部支持板８の下板面８ｃには、アーム本体９の上板面９ａが装着されている。アーム本体９は、上板面９ａの左右両端縁が下方に折曲されて、下方に長く前後幅が短い形状の左右の側板９ｂ，９ｃを有する金属板で形成されており、左右の側板９ｂ，９ｃの後端縁は、下端部に向かうに従って前方に傾斜している。そして、図２及び図４に示すように、左右の側板９ｂ，９ｃにおける内側面の下寄りの面には、それぞれ上下方向に長い長孔９ｄ，９ｅが、上下に並んで２本形成されている。
【００３３】
そして、左右の側板９ｂ，９ｃの内側面に、液晶テレビＴを装着する装着板１０の左右両端に形成されている左右の側板１０ａ，１０ｂを重ね合わせた状態で、装着板１０の左右の側板１０ａ，１０ｂの内側方向から、アーム本体９の左右の側板９ａｂ，９ｃに形成されている各長孔９ｄ，９ｅ（９ｄ、９ｅ）内に向けてビス３５，３６（３５，３６）を挿入し、各長孔９ｄ，９ｅ（９ｄ、９ｅ）の外側に突出した各ビス３５，３６（３５，３６）の先端部に蝶ナット３７，３８（３７，３８）を螺装させて、装着板１０をアーム本体９に装着されている。このため、各蝶ナット３７，３８（３７，３８）を指先で操作して、各ビス３５，３６（３５，３６）によるアーム本体９と装着板１０との締結を一旦緩めて、装着板１０を上下いずれかの方向に手で操作すると、装着板１０の上下方向の位置調整ができる。
【００３４】
図２及び図４に示すように、液晶テレビＴは、その背面部Ｔｂを装着板１０の前面に重ね合わせてビス止めすることにより、装着板１０に装着される。特にコンピュータのディスプレイの場合は、その背面部Tbに形成される装着用のビス孔の位置大きさは、業界で規格化されており、本実施例においても、装着板１０に形成されビス孔の位置と大きさは、これに合わせたものになっている。
【００３５】
図１及び図２に示す液晶テレビＴは、このようにして取付台２の内側に液晶テレビＴが取り付けられていると、例えば、病室のベッドの脇に置かれている収納ボックスの上に置いて使用する。液晶テレビＴの代わりに、パソコン又はＤＶＤの薄型ディスプレイを装着しても良い。
【００３６】
このようにすると、患者がベッドの上で体を起こした姿勢で、また、寝た姿勢のままテレビなどを視聴して楽しむことができるようになり、特に、本発明の薄型モニター装置の支持装置を用いて液晶テレビなどが取付台２に支持されていると、図３乃至図５に示すように液晶テレビＴなどを見易い姿勢に向けることができる。
【００３７】
そして、液晶テレビＴなどを視聴しないときには、図５及び図６に示すように、取付台２の天板２ａの下面に沿う方向に収納することができる。
【００３８】
液晶テレビＴを収納する場合には、図２に示す液晶テレビＴとこれを支持しているアーム６をレール４の前端近くまで移動させた状態から、図６に示すように液晶テレビＴと共に下部支持板８とアーム本体９が水平姿勢なる高さになるまで上方に持ち上げる。この状態になると、図１３に示すように、下部支持板８の左右の側板８ａ，８ｂの間に懸架されている横軸４４が、右側の係止部材２４の前端近傍個所に支持されているカム状爪２７の先端部を上方に移動させながら、右側の係止部材２４の前端下部縁に形成されている湾曲部２３ｂ内に突入する。そして、液晶テレビＴを上方に持ち上げている手の力を少し弱めると、横軸４４が湾曲部２３ｂ内の手前のフック部２３c内に掛かり、同時にカム状爪２７の先端部が横軸４３の上面を囲む姿勢になる。このように、液晶テレビＴを持ち上げていた手を離すと、横軸４４が係止部材２４のフック部２３ｃ内に掛止した状態になっているため、液晶テレビＴ及び下部支持板８とアーム本体９の姿勢が維持され、この姿勢のまま、液晶テレビＴを取付台２の奥の方向に手で押してスライド移動させると、図５、図６及び図１３に示すように、アーム本体９の下端部が保持部材１１によってしっかりと受け止められる。
【００３９】
そして、液晶テレビＴを収納姿勢から、視聴するために引き出す場合には、液晶テレビＴを手で持って前方に引き出して、液晶テレビＴを一旦上方に持ち上げる。このようにすると、図１３に示す横軸４４が係止部材２４を上方に持ち上げて、横軸４４が湾曲部２３ｂ内の奥（図１３では左側）まで移動し、カム状爪２７の先端部が自重によって横軸４４の前方に回動して、横軸４４がフック部２３ｃ内に向けた移動を阻止させる位置に移動する。このため、液晶テレビＴを持ち上げている手を少しづつ下方に移動させると、横軸４４がフック部２３ｃに掛からないので、液晶テレビＴを図２に示す垂直姿勢にさせることができる。尚、液晶テレビＴの向きを上下に回動させて傾きを調整する場合には、図７（ｃ）に示すツマミハンドル３２ｂを操作してボルト３０とナット３１の締結力を一旦緩めると、容易に液晶テレビＴの向きを変えることができる。
【産業上の利用可能性】
【００４０】
本発明の薄型ディスプレイ装置の支持装置と、この支持装置が取り付けられた収納台に関は、パソコン又はＤＶＤの薄型ディスプレイ又は薄型テレビなどの薄型ディスプレイ装置を収納台に垂直に向けた吊下げ姿勢で支持させるものであり、家庭、オフィス用として、特に、病室のベッドの横に置いて使用するに最適である。
【図面の簡単な説明】
【００４１】
【図１】本発明の実施例による薄型ディスプレイ装置の支持装置を用いて液晶テレビを専用の収納台の内側に支持させた液晶テレビ付き収納台を示した正面図である。
【図２】図１におけるＡ−A断面図である。
【図３】同じく液晶テレビの向きを変えて示した側面断面図である。
【図４】同じく液晶テレビの向きを変えて示した側面断面図である。
【図５】液晶テレビの収納状態を示した正面図である。
【図６】同じく側面断面図である。
【図７】（ａ）はレール前端に位置する抜け止め材を取付台の天板に装着された状態を示している正面断面図、（ｂ）はレールの形状と取付構造を示した正面断面図、（ｃ）は本発明の１実施例による薄型モニター装置の支持装置の上部を示した正面断面図である。
【図８】レールと抜け止め材を装着した天板の部分底面図である。
【図９】走行体の支持構造を示した正面部分拡大図である。
【図１０】アームの組み付け構造を分解して示した側面断面図である。
【図１１】本発明の１実施例による薄型モニター装置の支持装置の上部を示した側面断面図である。
【図１２】右側の係止部材の形状を装着構造を示した拡大側面断面図である。
【図１３】本発明の１実施例による薄型モニター装置の支持装置を上方に回動させた状態で示した側面断面図である。
【符号の説明】
【００４２】
Ｔ    液晶テレビ
１    液晶テレビ付き収納台
２    収納台
2ａ  天板
2ｃ  側板
３    薄型モニター装置の支持装置
４    レール
５    走行体
６    アーム
７    上部支持板
８    下部支持板
９    アーム本体
１０  取付板
１１  保持部材
１２  枠材
１３ａ，１３ｂ  ホルダ
１４  抜け止め材
１５  押え板
１５ａ  ボルト（横回動部）
１６、１７  ナット
１８  当て板
２２  横軸
２３，２４  係止部材（係止手段）
２３ａ  斜辺
２３ｂ  湾曲部
２３ｃ  フック部
２５，２６  ばね
２７  カム状爪
２８  ピン
３０  ボルト
３０ｂ  ボルトの軸部（上下回動部）
３１  ナット
３２，３３  円板体
３２ｂ  ツマミハンドル
３４  円筒体
４４  横軸
【図１】
2006043300.tif 000003
【図２】
2006043300.tif 000004
【図３】
2006043300.tif 000005
【図４】
2006043300.tif 000006
【図５】
2006043300.tif 000007
【図６】
2006043300.tif 000008
【図７】
2006043300.tif 000009
【図８】
2006043300.tif 000010
【図９】
2006043300.tif 000011
【図１０】
2006043300.tif 000012
【図１１】
2006043300.tif 000013
【図１２】
2006043300.tif 000014
【図１３】
2006043300.tif 000015